(57)【要約】【課題】薄くて長尺な反射鏡をキャリッジの所定の位置に組み込むのに、補強用板金を介して行う構造を採用する画像読取装置で、補強板金用ホルダに保持させた補強用板金に反射鏡を固定するようにして、該補強用板金を組み込むことにより反射鏡の固定作業を簡便化し、作業中の反射鏡の破損を極力防止する。【解決手段】補強用板金２１を、断面ほぼコ字形に形成された補強板金用ホルダ２２の脚部２２ａ  、２２ｂ  に挟まれた状態に収容させる。補強用板金２１の固定部２１ａ  を載置部２２ｄ  に、反射鏡保持部２１ｂ  を収容部２２ｅ  に位置させると、補強用板金２１が補強板金用ホルダ２２に安定するから、この状態で上部に露呈している保持面２１ｄ  に反射鏡２０を取り付ける。【選択図】        図１
2004271580.tif 000002
【特許請求の範囲】
【請求項１】
プラテンガラスに載置された原稿に沿って移動しながら該原稿から画像データを取得するための光電変換素子に、前記原稿からの反射光を導く反射鏡を、前記原稿を照明する光源と前記光電変換素子とが組み込まれたキャリッジの所定位置に補強用板金を介して取り付けるための画像読取装置において、
前記補強用板金を保持する補強板金用ホルダであって、補強用板金を安定して着脱自在に保持し、前記反射鏡の補強用板金への取付部分を露呈させるようにした補強板金用ホルダを用いて、前記補強用板金に取り付けた反射鏡を備えていることを特徴とする画像読取装置。
【請求項２】
前記補強板金用ホルダは、反射鏡を補強用板金の所定位置に設定する反射鏡位置決め部を有していることを特徴とする請求項１に記載の画像読取装置。
【発明の詳細な説明】
【０００１】
【発明の属する技術分野】
この発明は、ＰＰＣ用紙や印画紙その他各種用紙、フィルム等の原稿媒体に形成された画像を、例えばパーソナルコンピュータを介して記録媒体に収納するのに適したデータに変換して、該画像について画像データとして取得するのに適した画像読取装置に関するもので、特にこの種の画像読取装置に用いられる反射鏡を固定装置を用いて所定の位置に取り付けることによる画像読取装置に関する。
【０００２】
【従来の技術】
近年のパーソナルコンピュータの普及により、写真や文字原稿その他の画像を画像データとして記憶媒体に収納して記憶し、所望により印刷したり、データとして配布したりすることが便利となっている。この種の画像を画像データとして読み取るのに、画像読取装置、特にイメージスキャナが用いられる。
【０００３】
この種のイメージスキャナは、画像データを取得すべき画像が形成された印画紙やフィルム等の原稿媒体を載置する透明ガラス板からなるプラテンガラスを備え、該プラテンガラスに載置された原稿媒体に光を照射し、その反射光を光電変換素子で捕捉することにより該原稿媒体に形成された画像に関する画像データを取得する。この光電変換素子の代表的なものとして、ＣＣＤ（電荷結合素子）がよく知られている。画像データの取得に際しては、プラテンガラスに沿ってキャリッジを走行させながら行う。すなわち、該キャリッジに、原稿媒体を照明する光源と、その反射光に含まれた画像データを捕捉する光電変換素子、反射光を該光電変換素子に導く光路を構成する読取光学系とが搭載され、このキャリッジを走行させながら、原稿媒体の画像を読取走査して画像データを取得するものである。
【０００４】
図５に示すように、イメージスキャナ１は、合成樹脂または金属によって矩形に組み立てられる筐体２にキャリッジ３が、矢標Ｓ方向に往復移動可能に収容されている。キャリッジ３の一端部は、矢標Ｓと平行な方向に筐体２に掛け渡されたガイドロッド４に連繋されており、他端部にはローラ４ａが回動自在に支持されており、キャリッジ３の往復移動を案内している。ガイドロッド４に連繋した端部には、駆動ベルト５が連繋している。駆動ベルト５は、筐体２の隅部であって、ガイドロッド４の端部の近傍に回転可能に支持された一対のプーリ６ａ、６ｂに掛け渡されており、一方のプーリ６ａに駆動モータ７の出力回転が伝達されるようにしてある。すなわち、駆動モータ７の出力回転によって駆動ベルト５が移動し、これに連繋したキャリッジ３が移動するようにしてある。なお、駆動モータ７は可逆回転可能のものとされており、その回転方向に応じてキャリッジ３は往復移動することになる。
【０００５】
前記キャリッジ３、駆動モータ７や駆動ベルト５、プーリ６ａ、６ｂからなる駆動機構を収容した筐体２の上面には、透明なプラテンガラス８が被せられる。また、底面は底板９で閉じられる。なお、該底板９を透明なガラス板で構成することもでき、例えばこのイメージスキャナ１を机上等に載置された原稿媒体に被せた状態にして該原稿媒体に形成された画像に関する画像データを取得する場合には、イメージスキャナ１が被せられた原稿媒体の位置を確認できるので好ましい。なお、一般的には前記プラテンガラス８に画像が形成されたＰＰＣ用紙や印画紙等の原稿媒体を載置して、これらの画像データを取得するようする。また、前記キャリッジ３は、該キャリッジ３の円滑な移動を阻害しない程度に、プラテンガラス８に押圧されており、例えば底板９とキャリッジ３との間に、圧縮コイルバネ等からなる図示しない付勢手段を介在させてある。また、プラテンガラス８には、キャリッジが押圧される部分に円滑な摺動を行わせるように、摺動案内シート等が貼着されているものもある。
【０００６】
前記キャリッジ３には、図４に示すように、プラテンガラス８上の原稿媒体を照明する光源１１と、原稿媒体で反射した光を受光して該光に含まれた画像データを取得するＣＣＤ１２と、原稿媒体での反射光をＣＣＤ１２に導く第１反射鏡１３、第２反射鏡１４、これら第１反射鏡１３と第２反射鏡１４との間にあって反射光を前記ＣＣＤ１２に結像させる多数の屈折率分布型レンズが配列されてなるロッドレンズアレイ１５とが搭載されている。なお、前記ＣＣＤ１２はＣＣＤ基板１２ａ  に組み込まれた状態でキャリッジ３に取り付けられている。
【０００７】
ところで、パーソナルコンピュータの一般家庭への普及は、これを設置するスペースの確保が問題となり、さらに、イメージスキャナ等の周辺機器が増加することによりますます設置スペースの確保が困難となる場合が生じる。このため、周辺機器の小型化が図られ、イメージスキャナではより薄型化して、不使用時には縦置きにして、例えばパーソナルコンピュータを設置した机等の脚部の隙間等に収納できるようにしてある。
【０００８】
イメージスキャナ１の薄型化はキャリッジ３の薄型化を図る必要があり、そのため、次のような問題が生じるおそれがある。キャリッジ３の薄型化の要求は、これに搭載される光学部品の小型化や薄型化が要求される。このため、前記第１反射鏡１３、第２反射鏡１４の小型化が図られ、これら反射鏡１３、１４は、その幅員に比べて長さが大きく帯板状の長尺なものとなり、かつ薄くなる。これら反射鏡１３、１４は、前記キャリッジ３に固定されるが、薄い帯板状であるため、扱いにくく、破損しやすいため、この固定作業が煩雑となっている。すなわち、これら反射鏡１３、１４は、反射方向を一定にする必要があるため、所定の箇所に所定の姿勢で固定されなければならないが、扱いにくいため、容易に所定の状態に取り付けることができず、一度取り付けたものを取り外して再度取り付けなければならない場合が生じ、取り外すときに破損してしまうおそれがある。
【０００９】
このため、本件出願人は、反射鏡をキャリッジに取り付ける際に破損することを極力無くして取付作業性を向上させると共に、その反射面の方向を安定させて取り付けることができることにより量産性を向上させることができる画像読取装置の反射鏡取付構造を、既に提案した（特願２００２−０９６７６０号参照）。
【００１０】
この反射鏡取付構造は、前記キャリッジに補強用板金を組み込み、前記補強用板金に前記反射鏡を連繋させた構成としたものである。すなわち、図３に示すようにキャリッジ３に、第１補強用板金１６を介して第１反射鏡１３が、第２補強用板金１７を介して第２反射鏡１４が、それぞれ取り付けられている構造とされている。これら補強用板金１６、１７は、これらを取り付ける箇所やこれらに取り付けられる反射鏡１３、１４の向きなどに応じて適宜な形状に形成されている。
【００１１】
【特許文献１】
特願２００２−０９６７６０
【００１２】
【発明が解決しようとする課題】
しかしながら、上述した補強用板金を介してキャリッジに反射鏡を取り付ける構造を採用した場合であっても、該補強用板金に取り付ける際に、反射板を所定の位置に所定の姿勢で取り付けるのは煩雑であり、また、反射鏡自体は薄型の帯板状であるため破損しやく、そのため、一度取り付けたならば取付直しを行えなえず、量産性を十分に確保できないおそれがある。
【００１３】
そこで、この発明は、キャリッジに搭載される反射鏡を確実に補強用板金の所定の箇所に所定の状態で取り付けることができるようにして、該反射鏡の取り扱いを簡便にすることができるようにし、量産性を確保することができる画像読取装置を提供することを目的としている。
【００１４】
【課題を解決するための手段】
前記の目的を達成するための技術的手段として、この発明に係る画像読取装置は、プラテンガラスに載置された原稿に沿って移動しながら該原稿から画像データを取得するための光電変換素子に、前記原稿からの反射光を導く反射鏡を、前記原稿を照明する光源と前記光電変換素子とが組み込まれたキャリッジの所定位置に補強用板金を介して取り付けるための画像読取装置において、前記補強用板金を保持する補強板金用ホルダであって、補強用板金を安定して着脱自在に保持し、前記反射鏡の補強用板金への取付部分を露呈させるようにした補強板金用ホルダを用いて、前記補強用板金に取り付けた反射鏡を備えていることを特徴としている。
【００１５】
補強用板金に反射鏡を取り付ける際、補強用板金を前記補強用板金ホルダに保持させる。この状態で露呈している前記取付部分に反射鏡を取り付けて固定すれば、補強用板金の所定の位置に反射鏡を固定することができる。そして、反射鏡が固定された補強用板金を、前記キャリッジの所定の位置に取り付ければ、反射鏡が所定の方向を向いた姿勢で取り付けられる。すなわち、反射鏡は補強板金用ホルダに保持させた補強用板金に固定するので、キャリッジに組み込む前に反射鏡を扱うことができるから、反射鏡の破損を極力防止し、補強用板金への固定作業を簡便化することができる。
【００１６】
また、請求項２の発明に係る画像読取装置は、前記補強板金用ホルダは、反射鏡を補強用板金の所定位置に設定する反射鏡位置決め部を有していることを特徴としている。
【００１７】
補強板金用ホルダに補強用板金を保持させた状態で、反射鏡を補強用板金に取り付ければ、該反射鏡は前記反射鏡位置決め部によって位置決めされて、所定の位置に取り付けられる。したがって、取り付け直しをなくし、反射鏡の固定作業を簡便化できると共に、量産性を向上させることができる。
【００１８】
【発明の実施の形態】
以下、図示した好ましい実施形態に基づいて、この発明に係る画像読取装置を具体的に説明する。
【００１９】
図１は第１の実施形態を示す図であり、反射鏡２０は補強用板金２１に接着剤や両面接着テープ等によって固定され、前記キャリッジ３に組み込まれる。反射鏡２０を補強用板金２１に固定する際には、該補強用板金２１を補強板金用ホルダ２２に保持させて行う。補強用板金２１はキャリッジ３に組み込まれるのに適宜な断面形状の帯板で形成されており、この第１実施形態では図１に示すように、直線状の固定部２１ａ  とほぼＶ字形に曲げ成形された反射鏡保持部２１ｂ  とを備えた形状とされている。また、Ｖ字形の反射鏡保持部２１ｂ  の固定部２１ａ  から遠い側の脚部２１ｃ  を、反射鏡２０を固定するのに適宜なように伸長させてあり、この脚部２１ｃ  の内側の平面を保持面２１ｄ  として反射鏡２０を固定するようにしてある。
【００２０】
前記補強板金用ホルダ２２は、図１に示すように、断面ほぼコ字形に形成され、該コ字形の両側の脚部２２ａ  、２２ｂ  に補強用板金２１のそれぞれの端部が当接する程度に収まるようにしてある。また、コ字形の中央の腹部２２ｃ  の内側面には、補強用板金２１の前記固定部２１ａ  を載置させる載置部２２ｄ  と、前記反射鏡保持部２１ｂ  を収容するように凹ませた収容部２２ｅ  が形成されている。
【００２１】
この第１実施形態では、補強用板金２１の固定部２１ａ  を載置部２２ｄに載置させ、反射鏡保持部２１ｂ  を収容部２２ｅ  に収容させて、補強板金用ホルダ２２に保持させる。この状態で、図１に示すように前記保持面２１ｄ  が斜め上方を向くことになり、この保持面２１ｄ  に反射鏡２０を固定する。反射鏡２０を保持面２１ｄ  に接着剤や両面接着テープ等によって接着すれば、該反射鏡２０を補強用板金２１に所定の姿勢で取り付けることができる。そして、反射鏡２０が取り付けられた補強用板金２１をキャリッジ３に組み付ければよい。
【００２２】
図２には、この発明に係る第２実施形態を示してある。反射鏡３０は補強用板金３１に接着剤や両面接着テープ等によって固定されて前記キャリッジ３に組み込まれる。反射鏡３０を補強用板金３１に固定するには、該補強用板金３１を補強板金用ホルダ３２に保持させた状態で行う。この第２実施形態に係る補強用板金３１は、図２に示すように、キャリッジ３の所定位置に取り付けられる直線状の固定部３１ａ  と、ほぼＶ字形に曲げ成形された反射鏡３０を取り付けるための反射鏡保持部３１ｂ  とを備えた形状とされている。反射鏡３０は、反射鏡保持部３１ｂ  のＶ字形の前記固定部３１ａ  から遠い側の外側面に形成された保持面３１ｃ  に固定されるようにしてある。
【００２３】
前記補強板金用ホルダ３２は断面ほぼコ字形に形成されており、該コ字形の内側に補強用板金３１が収容されるようにしてある。このコ字形の中央の腹部３２ａ  の内側面には、補強用板金３１の前記固定部３１ａ  を載置させる載置部３２ｂ  と前記反射鏡保持部３１ｂ  を受容する載置部３２ｂ  から僅かに凹ませた収容部３２ｃ  とが形成されている。
【００２４】
この第２実施形態では、補強用板金３１の固定部３１ａ  を載置部３２ｂ  に載置させ、反射鏡保持部３１ｂ  を収容部３２ｃ  に収容させて、補強板金用ホルダ３２に保持させる。この状態で、図２に示すように前記保持面３１ｃ  が斜め上方を向くことになり、この保持面３１ｃ  に反射鏡３０を固定する。このとき、該保持面３１ｃ  は反射鏡保持部３１ｂ  のＶ字形の外側面に形成されているから、反射鏡３０が該保持面３１ｃ  に対して滑り、反射鏡３０が補強板金用ホルダ３２のコ字形の脚部３２ｄ  に当接する。この状態で、反射鏡３０は補強用板金３１に所定の通りに設定され、接着剤や接着テープ等で取り付けられ、固定される。すなわち、脚部３２ｄ  は反射鏡３０の固定位置を定める反射鏡位置決め部とされている。そして、反射鏡３０が取り付けられた補強用板金３１を前記キャリッジ３に組み付ける。
【００２５】
この第２実施形態では、反射鏡３０は補強板金用ホルダ３２の脚部３２ｄ  に当接した状態で、補強用板金３１に対して位置決めされるから、反射鏡３０の補強用板金３１への固定作業をより簡便に行うことができる。
【００２６】
【発明の効果】
以上説明したように、この発明に係る画像読取装置用によれ、反射鏡を補強用板金に取り付け、固定する作業を簡便に行うことができる。しかも、補強用板金を補強板金用ホルダに保持させた状態で行うことにより、反射鏡の取り扱いが簡便となり、反射鏡を破損することが防止される。しかも、固定作業の簡便化のため、画像読取装置の量産性を確保することができる。
【００２７】
また、請求項２の発明に係る画像読取装置用によれば、反射鏡を反射鏡位置決め部に連繋させることにより、補強用板金に対する設定位置に位置決めできるから、反射鏡の固定作業をより効率的に行うことができる。しかも、反射鏡位置決め部は補強板金用ホルダに設けられているから、補強用板金の形状はキャリッジに組み込むのに適宜な形状に維持することができ、既存の補強用板金を用いることができる。
【図面の簡単な説明】
【図１】この発明に係る画像読取装置の所定位置に反射鏡を取り付ける構造の第１の実施形態を説明する断面図である。
【図２】この発明に係る画像読取装置の所定位置に反射鏡を取り付けるための構造の第２の実施形態を説明する断面図である。
【図３】キャリッジとこれに搭載される光学部品を示す断面図である。
【図４】従来のキャリッジとこれに搭載される光学部品とを示す断面図である。
【図５】画像読取装置として、イメージスキャナの構造を説明する分解斜視図である。
【図６】イメージスキャナの外観図である。
【符号の説明】
２０  反射鏡
２１  補強用板金
２１ａ  固定部
２１ｂ  反射鏡保持部
２１ｃ  脚部
２１ｄ  保持面
２２  補強板金用ホルダ
２２ａ  脚部
２２ｂ  脚部
２２ｃ  腹部
２２ｄ  載置部
２２ｅ  収容部
３０  反射鏡
３１  補強用板金
３１ａ  固定部
３１ｂ  反射鏡保持部
３１ｃ  保持面
３２  補強板金用ホルダ
３２ａ  腹部
３２ｂ  載置部
３２ｃ  収容部
３２ｄ  脚部（反射鏡位置決め部）
【図１】
2004271580.tif 000003
【図２】
2004271580.tif 000004
【図３】
2004271580.tif 000005
【図４】
2004271580.tif 000006
【図５】
2004271580.tif 000007
【図６】
2004271580.tif 000008